(57)【特許請求の範囲】
【請求項１】
電磁誘導加熱が可能な内鍋と、この内鍋を取り出し可能に収容する内ケースと、この内ケースを収容固定する外ケースと、上記内ケースの底部に設けられ、上記内鍋を電磁誘導加熱する電磁誘導加熱手段と、上記外ケースと内ケースとの間に上下方向に延びて設けられた制御基板カバーと、該制御基板カバー下方の上記外ケース底部上に設けられ、上記制御基板カバーに取り付けられた制御基板上の電装品を冷却する冷却ファンと、上記制御基板カバーの下端部から上記内ケースの底部側に延びて設けられ、上記冷却ファンからの冷却風を上記内ケース底部のワークコイル側水平方向に分流させる分流ダクトとを備えてなる電気炊飯器において、上記分流ダクトは、上記制御基板カバーと一体に設けられているとともに、その冷却風導入口における上記冷却ファンとの対向面を上記水平方向への冷却風吹き出し面よりも所定寸法上方側に高く上昇させることによって、上記冷却ファンから吹き出された冷却風の導入量を増大させるようになっている一方、その冷却風吹出口は、上記冷却ファンに対向する冷却風導入口部から上記内ケース底部の傾斜面に沿って上壁部を下降傾斜させることによって次第に上下方向の通路幅を小さくしていることを特徴とする電気炊飯器。
【発明の詳細な説明】
【技術分野】
【０００１】
本願発明は、不要な発熱部の冷却を行う冷却ファンを備えた電磁誘導加熱式電気炊飯器の冷却部の構造に関するものである。
【背景技術】
【０００２】
電磁誘導加熱式の電気炊飯器の場合、内鍋を電磁誘導加熱するワークコイルやワークコイルを駆動するパワートランジスタ（ＩＧＢＴ）の発熱など、それ自体が炊飯又は保温のための加熱に寄与しない不要な発熱を生じる発熱部が存在する。
【０００３】
このため、同電気炊飯器では、従来から炊飯器本体の下部に冷却ファンを設け、同冷却ファンからの風を冷却通路を介してワークコイルやパワートランジスタに導くことにより、必要な冷却を行う構成が採用されている（例えば特許文献１，２の構成を参照）。
【０００４】
このような電気炊飯器の一例を、図９，図１０に示す。
【０００５】
先ず、この電気炊飯器では、例えば内鍋（飯器ないし保温容器）３として非金属材料からなる鍋（例えば、セラミック製の土鍋）が採用されており、その底壁部３ａの底部中央面（フラット面）および該底壁部３ａ外周の湾曲面部（Ｒ面部）には、それぞれ内部に誘起されるうず電流によって自己発熱が可能な銀ペースト等の金属製の第１，第２の誘導発熱体Ｇ１，Ｇ２が設けられている。
【０００６】
そして、この電気炊飯器は、同構成の内鍋３と、該内鍋３を任意に収納セットし得るように形成された下部側合成樹脂製の皿状の底壁部４および上部側筒状の側壁部６よりなる内ケース（保護枠）４６と、該内ケース４６を保持する外部筺体である有底筒状の外ケース１ａと、該外ケース１ａと上記内ケース４６とを一体化して形成された炊飯器本体１の上部に開閉可能に設けられた蓋ユニット（蓋体）２とから構成されている。
【０００７】
外ケース１ａの前面部上方には、操作パネル部２０が設けられている。そして、該操作パネル部２０面には、例えば十分に広く大きな表示面積をもつ液晶表示部２１と炊飯スイッチ、タイマー予約スイッチ、取消スイッチ、保温スイッチ、再加熱スイッチ、メニュー選択スイッチ、時スイッチ、分スイッチ等の各種入力スイッチ（タッチキースイッチ）が設けられている。
【０００８】
また、該外ケース１ａ内の上記操作パネル部２０の内側部分（裏側空間）には、略制御基板Ｂ１の上端位置から斜め前方に下降する格好で、マイコン基板Ｂ２がマイコン基板カバー１８を介して傾斜設置されている。
【０００９】
また蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内に嵌合された金属製の放熱板１６ａと、該放熱板１６ａの上面に設けられた蓋ヒータＨ２と、上記放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、１５ａは調圧パイプ１５内の調圧弁、１５ｂはその下部側キャップである。
【００１０】
この蓋ユニット２は、図示しない上記外ケース１上部の後端側で肩部材１１に対してヒンジ機構を介して回動自在に取付けられており、その開放端側には、該蓋ユニット２の所定位置に係合して該蓋ユニット２の上下方向への開閉を行うロック機構１０が設けられている。
【００１１】
一方、内ケース４６の底壁部４の下方側には、フェライトコア収納部４０ｃ，４０ｃ・・・を備えたコイルカバー（コイル台）４０が設けられ、その下部にはフェライトコアを配置し（図示省略）、またそれらの間には、上記内鍋３の底壁部３ａの中央部側フラット面と外周部側湾曲面の上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を加熱するようになっている。
【００１２】
上記内ケース４６の皿状の底壁部４は、その底面部４ａの中央部にサーミスタＳ１を具備したセンターセンサーＣＳのセンサー部嵌合口４ｆが形成されているとともに、同センサー部嵌合口４ｆの外周側上面にはドーナツ状の遮熱板３０が設けられている。また、外周側湾曲面部の上端側には、所定幅半径方向外方に張り出したフランジ状の段部４ｃが設けられ、この段部４ｃ部分に上記上部側筒状の側壁部６の下端６ａ側が係合載置されている。
【００１３】
他方、同上部側筒状の側壁部６の上端６ｂは、内枠部材９を介して上記炊飯器本体１側外ケース１ａ上端の肩部材１１に連結して固定されている。
【００１４】
また、上記内ケース４６の上部側筒状の側壁部６の外周には、炊飯および保温時において加熱手段として機能する保温ヒータＨ１が設けられており、炊飯時および保温時において上記内鍋３の全体を有効かつ均一に加熱するようになっている。
【００１５】
そして、上記内ケース４６の下部側底壁部４の底部４ａとコイルカバー４０の底壁部４０ａとの間には、その前部側から後部側に到る冷却用の通風路が形成されている。
【００１６】
この通風路は、次のようにして形成されている。
【００１７】
すなわち、上記内ケース４６の底壁部４の底部４ａの下面部外周には、図示しないが円弧状の薄肉の筒状壁（薄肉リブ）が周方向に沿って立設されており、その前部と後部には、筒壁のない切欠部が設けられているとともに、それらの間には、平面三角形状の複数の台状リブが所望の間隔で所望の位置、かつ所望の方向に散在するように設けられている。
【００１８】
また、上記コイルカバー４０の底壁部４０ａの上面部外周には、上記内ケース４６の底壁部４の底部４ａの下面側筒状壁に対応した同様の円弧状の薄肉の第１の筒状壁（薄肉リブ）が上方に向けて立設されているとともに、それらの間には、平面三角形状の複数の台状リブが上記内ケース４６の底壁部４の台状のリブと対称な位置関係で散在するように設けられている。
【００１９】
さらに、このコイルカバー４０の場合、上記第１の筒状壁４０ｂ，４０ｂよりも所定幅半径方向外方に位置する上記底壁部４０ａ外周縁の上記後部側切欠部に対向する半径方向位置には、当該後部側切欠部の開口部の円弧角幅よりも十分に大きな円弧角幅の薄肉の第２の筒状壁（薄肉リブ）が上方に向けて立設されている。
【００２０】
これら内ケース４６の底壁部４の筒状壁とコイルカバー４０の底壁部４０ａの第１の筒状壁とは、例えば内ケース４６の底壁部４に対して第１のワークコイルＣ１を介してコイルカバー４０を下方から嵌合した時に、相互に摺接した状態で嵌合し合って、第１のワークコイルＣ１の周囲を囲む略円形の通風空間を形成する。
【００２１】
また、この嵌合状態では、上記第１のワークコイルＣ１の渦巻状の各線輪が、上記上下両側に位置して相互に対向する台状のリブ間に安定した状態で挟圧支持され、当該第１のワークコイルＣ１の上下に有効な通風スペースａ，ｂが形成される。
【００２２】
一方、このようにして筒状壁、第１の筒状壁間に形成された第１のワークコイルＣ１を囲む通風路は、上記前部側切欠部の対向部部分が冷却風の流入口部となる一方、上記後部側切欠部の対向部部分が冷却風の吹出口部分となる。
【００２３】
そして、同後部側の冷却風吹出口部分に対して、上記コイルカバー４０側外周縁の第２の筒状壁の内周面が同一水平面状に対応することになる。
【００２４】
他方、前部側切欠部により形成される冷却風の流入口部には、前部側下面が後部方向に斜めに大きく開口された偏平な角形の冷却風導入用の分流ダクト２６が左右の連接壁を介して連接されており、該冷却風分流ダクト２６を介して上記炊飯器本体１の本体ケース１ａ内前方底部に設置されている電装品等冷却用のファン（短軸の軸流ファン）２３からの冷却風の一部を導入して上記第１のワークコイルＣ１側通風路の通風空間に流すようになっている。
【００２５】
電装品等冷却用のファン２３は、その羽根車の直径の１／２程度を上記冷却風分流ダクト２６の下面側の開口部分に対応して設置されている一方、その他の１／２部分は、ＩＧＢＴ等からの熱放熱用のヒートシンク２４、制御基板Ｂ１、マイコン基板Ｂ２等に対応して設置されている。
【００２６】
なお、符号２２は、外ケース１ａの底部に嵌合一体化された底部材（底カバー）１ｂ部分に設けられた冷却ファン２３の空気吸込口である。
【００２７】
このような構成によると、上記冷却ファン２３からの風が、例えば炊飯器本体１の前部側では、制御基板Ｂ１、マイコン基板Ｂ２、ＩＧＢＴ用ヒートシンク２４等の冷却に使用される一方、冷却風分流ダクト２６を介して、上記発熱部材である第１のワークコイルＣ１を囲む通風路の通風空間内に導入され、同第１のワークコイルＣ１を効果的に冷却した後に、上記内ケース４６の底壁部４の後部側切欠部と上記コイルカバー４０の底壁部４０ａの後部側切欠部よりなる冷却風の吹出口部分より水平方向に吹き出される。
【００２８】
しかし、同冷却風の吹出口部分の半径方向外方側コイルカバー４０の底部４０ａの外周縁には、上方側第２のワークコイルＣ２方向に所定の高さ立設した第２の筒状壁が存在することから、同第２の筒状壁が下方から上方への風向ガイド板となり、上記水平方向に吹き出されようとする冷却風が、上方側第２のワークコイルＣ２方向に偏向され、上記内ケース４６の底壁部４の外周側湾曲面部に設けられている第２のワークコイルＣ２をも効率良く冷却するようになる。
【００２９】
しかも、この場合、上記第１のワークコイルＣ１の線輪を上下両側で挟圧支持している複数の台状のリブは、その平面形状が頂角の小さい三角形状（Ｖ字状）をなしており、その数とその頂角方向、および設置位置をそれぞれ適切に設定することにより、上記第１のワークコイルＣ１を安定し、かつ冷却風が通りやすい状態に支持するとともに、冷却風の流通方向、流通状態を低圧損で、しかも可及的に冷却効率が高くなるように制御する（より詳細な構造については、特許文献１を参照）。
【００３０】
【特許文献１】特開２００７−３２５８６８号
【特許文献２】特開２００７−２２２５５７号
【発明の開示】
【発明が解決しようとする課題】
【００３１】
上述のように、冷却ファン２３の羽根車２３ａの軸は、上下垂直方向に向けてレイアウトされており、冷却ファン２３からの冷却風は、冷却を必要とする電子部品（ＩＧＢＴ）等が搭載された制御基板Ｂ１に沿った方向とワークコイルＣ１，Ｃ２側水平方向との相互に直交する２つの方向に分流して供給されるようになっており、ワークコイルＣ１，Ｃ２側水平方向への冷却風は、制御基板カバー２５の下端部に冷却ファン２３からの冷却風の向きを９０゜変える筒状の分流ダクト２６（リブ２６ｄ，２６ｄ・・・で補強）を介して水平方向に分流ガイドされるようになっている。
【００３２】
しかも、同分流ダクト２６の筒体部２６ａは、図１０に示すように、その入口部２５ｅから出口側冷却風吹出口２６ｅまでの全体が同じ厚さの扁平形状で、通路入口部上下方向の高さが低く、下方側に広く開口された入口部も下方側から上方側への奥行きが浅いものとなっている。
【００３３】
したがって、冷却ファン２３から吹き出された風が、そのまま短時間で上壁面に直交状態で衝突するので圧損が大きく、風速ベクトルも大きく低下してしまい、水平方向に分流されにくく、冷却風量に欠けるとともに送風騒音が高い問題があった。
【００３４】
本願発明は、このような問題を解決するためになされたもので、上記ダクト部入口の冷却風との対向面を水平方向への冷却風吹き出し面よりも上方側に深く後退させ、ファンから吹き出された冷却風の導入量を増大させるとともに圧損や騒音を低下させ、効率良くワークコイル側水平方向に分流させるようにした電気炊飯器を提供することを目的とするものである。
【課題を解決するための手段】
【００３５】
本願発明は、同目的を達成するために、次のような課題解決手段を備えて構成されている。
【００３６】
（１）  請求項１の発明
この発明の電気炊飯器は、電磁誘導加熱が可能な内鍋と、この内鍋を取り出し可能に収容する内ケースと、この内ケースを収容固定する外ケースと、上記内ケースの底部に設けられ、上記内鍋を電磁誘導加熱する電磁誘導加熱手段と、上記外ケースと内ケースとの間に上下方向に延びて設けられた制御基板カバーと、該制御基板カバー下方の上記外ケース底部上に設けられ、上記制御基板カバーに取り付けられた制御基板上の電装品を冷却する冷却ファンと、上記制御基板カバーの下端部から上記内ケースの底部側に延びて設けられ、上記冷却ファンからの冷却風を上記内ケース底部のワークコイル側水平方向に分流させる分流ダクトとを備えてなる電気炊飯器において、上記分流ダクトは、上記制御基板カバーと一体に設けられているとともに、その冷却風導入口における上記冷却ファンとの対向面を上記水平方向への冷却風吹き出し面よりも所定寸法上方側に高く上昇させることによって、上記冷却ファンから吹き出された冷却風の導入量を増大させるようになっている一方、その冷却風吹出口は、上記冷却ファンに対向する冷却風導入口部から上記内ケース底部の傾斜面に沿って上壁部を下降傾斜させることによって次第に上下方向の通路幅を小さくしていることを特徴としている。
【００３７】
この発明の構成では、先ず制御基板カバーの下端部から上記内ケースの底部側に延びて設けられ、上記冷却ファンからの冷却風を上記内ケース底部のワークコイル側水平方向に向けて分流させる分流ダクトが、その冷却風導入口の冷却ファンとの対向面部分を水平方向への冷却風吹き出し面部分よりも所定寸法上方側に高く上昇させ、冷却風導入空間を大きくして、上記冷却ファンから吹き出された冷却風の導入量を増大させるようにしている。
【００３８】
その結果、冷却ファン吹き出後の吹出気流の圧損および騒音が低下するとともに、吹出風の風速が低下することなく、効率良くワークコイル側にも分流されるようになる。
【００３９】
しかも、同分流ダクトの冷却風吹出口は、上記冷却ファンに対向する冷却風導入口部から内ケース底部の傾斜面に沿って次第に上下方向の通路幅を小さくして形成されている。
【００４０】
したがって、このような構成によると、上記冷却ファンに対向する冷却風導入口部では、十分な奥行寸法を稼ぎながら、吹出口側では従来と同様の内ケース底部のワークコイル位置に適切に冷却風を吹き出すことができるようになる。
【００４１】
また、冷却風導入口側から冷却風吹出口側にかけて徐々に通路断面積を絞ったことにより、圧損を小さくしながら、可能な限りスムーズに吹出風の風速をアップする増速効果を得ることができる。
【００４２】
また、同通路断面積の縮小は、上記分流ダクトの上壁部を上記内ケース底部の傾斜面に沿って下降傾斜させることによって実現していることから、内ケース底部における設置も容易で、スペースファクターを悪化させなくて済む。
【００４３】
さらに、以上の構成では、上記のような分流ダクトが上記のように制御基板カバーと一体に設けられている。したがって、制御基板カバーの設置と同時に設置することができるので、より容易に設置することができる。
【発明の効果】
【００４４】
以上の結果、本願発明によると、冷却性能が高く、かつ静音性にすぐれた電気炊飯器を提供することが可能となる。
【発明を実施するための最良の形態】
【００４５】
図１〜図８は、本願発明の最良の実施の形態に係る電気炊飯器の炊飯器本体および要部の構成を示している。
【００４６】
（全体の構成）
この電気炊飯器でも、前述の従来例と同様に、例えば内鍋（飯器ないし保温容器）３として非金属材料からなる鍋（例えば、セラミック製の土鍋）が一例として採用されており、その底壁部３ａの底部中央面（フラット面）および該底壁部３ａ外周の湾曲面部（Ｒ面部）には、それぞれ内部に誘起されるうず電流によって自己発熱が可能な銀ペースト等の金属製の第１，第２の誘導発熱体Ｇ１，Ｇ２が設けられている。
【００４７】
そして、この電気炊飯器は、同構成の内鍋３と、該内鍋３を任意に収納セットし得るように形成された下部側合成樹脂製の皿状の底壁部４および上部側筒状の側壁部６よりなる内ケース（保護枠）４６と、該内ケース４６を保持する外部筺体である有底筒状の外ケース１ａと、該外ケース１ａと上記内ケース４６とを一体化して形成された炊飯器本体１の上部に開閉可能に設けられた蓋ユニット（蓋体）２とから構成されている。
【００４８】
外ケース１ａの前面部上方には、操作パネル部２０が設けられている。そして、該操作パネル部２０面には、例えば十分に広く大きな表示面積をもつ液晶表示部２１と炊飯スイッチ、タイマー予約スイッチ、取消スイッチ、保温スイッチ、再加熱スイッチ、メニュー選択スイッチ、時スイッチ、分スイッチ等の各種入力スイッチ（タッチキースイッチ）が設けられている。
【００４９】
また、該外ケース１ａ内の上記操作パネル部２０の内側部分（裏側空間）には、略制御基板Ｂ１の上端位置から斜め前方に下降する格好で、マイコン基板Ｂ２（音声基板１９）がマイコン基板カバー１８を介して傾斜設置されている。
【００５０】
一方、内ケース４６の底壁部４の下方側には、フェライトコア収納部を備えたコイルカバー（コイル台）４０が設けられ、その下部にはフェライトコア（符号省略）を配置し、またそれらの間には、上記内鍋３の底壁部３ａの中央部側フラット面と外周部側湾曲面の上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を加熱するようになっている。
【００５１】
上記内ケース４６（およびコイルカバー４０）の前方部側には、上記ワークコイルＣ１，Ｃ２、保温ヒータＨ１等を駆動制御するＩＧＢＴやヒータ駆動回路、電源電圧整流用のダイオードブリッジよりなる整流回路、平滑回路などを備えた制御基板Ｂ１および制御基板カバー２５が上下立設状態で設けられている。
【００５２】
上記内ケース４６の皿状の底壁部４は、その底面部４ａの中央部にサーミスタＳ１を内装したセンターセンサーＣＳのセンサー部嵌合口４ｆが形成されているとともに、同センサー部嵌合口４ｆの外周側上面にはドーナツ状の遮熱板３０が設けられている。また、外周側湾曲面部４ｂの上端側には、所定幅半径方向外方に張り出したフランジ状の段部４ｃが設けられ、この段部４ｃ部分に上記上部側筒状の側壁部６の下端６ａ側が係合載置されている。
【００５３】
他方、同上部側筒状の側壁部６の上端６ｂは、図示しない内枠部材を介して上記炊飯器本体１側外ケース１ａ上端の肩部材１１側に連結して固定されている。
【００５４】
また、上記内ケース４６の上部側筒状の側壁部６の外周には、炊飯および保温時において加熱手段として機能する保温ヒータＨ１が設けられており、炊飯時および保温時において上記内鍋３の全体を有効かつ均一に加熱するようになっている。
【００５５】
そして、上記内ケース４６の下部側底壁部４の底面部４ａとコイルカバー４０の底壁部４０ａとの間には、その前部側から後部側に到る冷却用の通風路が形成されている。
【００５６】
この通風路は、次のようにして形成されている。
【００５７】
すなわち、上記内ケース４６の底壁部４の底面部４ａの下面部外周には、図示はしないが、円弧状の薄肉の筒状壁（薄肉リブ）が周方向に沿って立設されており、その前部と後部には、筒壁のない切欠部が設けられているとともに、それらの間には、例えば平面三角形状の複数の台状リブが所望の間隔で所望の位置、かつ所望の方向に散在するように設けられている。
【００５８】
また、これも図示はしていないが、上記コイルカバー４０の底壁部４０ａの上面部外周には、上記内ケース４６の底壁部４の底面部４ａの下面側筒状壁に対応した同様の円弧状の薄肉の第１の筒状壁（薄肉リブ）が上方に向けて立設されているとともに、それらの間には、平面三角形状の複数の台状リブが上記内ケース４６の底壁部４の台状のリブと対称な位置関係で散在するように設けられている。
【００５９】
さらに、このコイルカバー４０の場合、上記第１の筒状壁よりも所定幅半径方向外方に位置する上記底壁部４０ａ外周縁の上記後部側切欠部に対向する半径方向位置には、当該後部側切欠部の開口部の円弧角幅よりも十分に大きな円弧角幅の薄肉の第２の筒状壁（薄肉リブ）が上方に向けて立設されている。
【００６０】
これら内ケース４６の底壁部４の筒状壁とコイルカバー４０の底壁部４０ａの第１の筒状壁とは、例えば内ケース４６の底壁部４に対して第１のワークコイルＣ１を介してコイルカバー４０を下方から嵌合した時に、相互に摺接した状態で嵌合し合って、第１のワークコイルＣ１の周囲を囲む略円形の通風空間を形成する。
【００６１】
また、この嵌合状態では、上記第１のワークコイルＣ１の渦巻状の各線輪が、上記上下両側に位置して相互に対向する台状のリブ間に安定した状態で挟圧支持され、当該第１のワークコイルＣ１の上下に有効な通風スペースａ，ｂが形成される。
【００６２】
一方、このようにして筒状壁と第１の筒状壁との間に形成された第１のワークコイルＣ１を囲む通風路は、上記前部側切欠部の対向部部分が冷却風の流入口部となる一方、上記後部側切欠部の対向部部分が冷却風の吹出口部分となる。
【００６３】
そして、同後部側の冷却風吹出口部分に対して、上記コイルカバー４０側外周縁の第２の筒状壁の内周面が同一水平面状に対応することになる。
【００６４】
他方、上述の前部側切欠部により形成される冷却風の導入口部には、斜め円弧状に大きく開口された偏平な角形の冷却風分流ダクト２６が左右両側の連接壁を介して連接されており、該冷却風分流ダクト２６を介して上記炊飯器本体１の本体ケース１ａ内前方底部に設置されている電装品等冷却用のファン（短軸のプロペラファン）２３からの冷却風の一部を導入して上記第１のワークコイルＣ１側通風路の通風空間に流すようになっている。
【００６５】
この電装品等冷却用のファン２３は、後述するように、その羽根車２３ａの直径の略１／２程度を、上記冷却風分流ダクト２６の下面側開口面に対応して設置されている一方、その他の１／２部分は、ＩＧＢＴ放熱冷却用のヒートシンク２４、制御基板Ｂ１、操作パネル部２０下方のマイコン基板Ｂ２等に対応して設置されている。
【００６６】
なお、符号２２は、上記外ケース１ａの底部に嵌合一体化された底部材（底カバー）１ｂの前部部分に設けられた冷却ファン２３の空気吸込口である。
【００６７】
このような構成によると、上記ファン２３の羽根車２３ａからの風が、上記炊飯器本体１の前部側では、マイコン基板Ｂ２や制御基板Ｂ１、ＩＧＢＴ用ヒートシンク２４等の冷却に使用される一方、冷却風分流ダクト２６を介して、上記発熱部材である第１のワークコイルＣ１を囲む通風路の通風空間内に導入され、同第１のワークコイルＣ１を効果的に冷却した後に、上記内ケース４６の底壁部４の後部側切欠部と上記コイルカバー４０の底壁部４０ａの後部側切欠部よりなる冷却風の吹出口部分より水平方向に吹き出される。
【００６８】
この場合、同冷却風の吹出口部分の半径方向外方側コイルカバー４０の底部４０ａの外周には、上方側第２のワークコイルＣ２方向に所定の高さ立設した第２の筒状壁が存在することから、同第２の筒状壁が下方から上方への風向ガイド板となり、上記水平方向に吹き出されようとする冷却風が、上方側第２のワークコイルＣ２方向に偏向され、上記内ケース４６の底壁部４の外周側湾曲面部に設けられている第２のワークコイルＣ２をも効率良く冷却する。
【００６９】
（蓋ユニットの構成）
符号２は蓋ユニットであり、該蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内に嵌合された金属製の放熱板１６ａ（蓋ヒータは図示省略）と、該放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、１５ａは調圧パイプ１５内の調圧弁、１５ｂはその下部側キャップである。
【００７０】
この蓋ユニット２は、図示しない上記外ケース１上部の後端側で肩部材１１に対してヒンジ機構を介して回動自在に取付けられており、その開放端側には、該蓋ユニット２の所定位置に係合して該蓋ユニット２の上下方向への開閉を行うロック機構１０が設けられている。
【００７１】
（分流ダクトの詳細な構成）
上述のように、本実施の形態では、炊飯器本体１の底部側冷却ファン２３からの冷却風を上下垂直方向に延びる制御基板Ｂ１に沿う上下方向と同制御基板Ｂ１の下端部分から内ケース４６底部側のワークコイルＣ１，Ｃ２に延びる水平方向との相互に直交する２つの方向に分流して流すことにより、制御基板Ｂ１上の発熱性電子部品（ＩＧＢＴ等）および内ケース４６の底部側ワークコイルＣ１，Ｃ２部分を冷却するようになっている。
【００７２】
この場合、炊飯器本体１の構造的制約から、冷却ファン２３の種類、設置位置、設置方向は、自ずと制約され、上述のように可及的に軸方向の長さが小さいプロペラファン（軸流ファン）を採用するとともに、同プロペラファンを炊飯器本体１の前部空間下部における外ケース１ａの底壁部分に位置して下方から上方に向けて風を吹き出すようにして設置される。
【００７３】
そして、その上方側の冷却可能な位置に制御基板Ｂ１およびマイコン基板Ｂ２が位置せしめられている。
【００７４】
上記炊飯器本体１内の上記外ケース１ａ前壁部と上記内ケース４６の前壁部との間の内ケース４６寄り位置には、下方から上方に延びる縦壁構造の制御基板カバー２５が設けられており、上記制御基板Ｂ１は、該制御基板カバー２５のカバー部本体２５ａの前面側基板取付面に上下方向に延びて取り付けられている。この制御基板カバー２５は、例えば図２〜図８に詳細に示すように、周辺に制御基板カバー用の縁部２５ｂを有する左右方向に長い略直方形状のカバー部本体２５ａを中心とし、同カバー部本体２５ａの背面側上端部左右に炊飯器本体１側肩部材１１部分への係合片２５ｄ，２５ｄ、左右方向中間部に上記内ケース４６の底壁部４のフランジ状の段部４ｃとの係合片２５ｃがそれぞれ設けられており、それらを利用して上記内ケース４６の前面部に立設状態で取り付けられることにより、上記図１のような縦壁構造に支持されている。
【００７５】
一方、同カバー部本体２５ａ下端部の左右方向中央部の背面側には、上述した冷却風の分流ダクト２６が一体に設けられている。この分流ダクト２６は、例えば図２に示すように、上記制御基板Ｂ１のカバー部本体２５ａの下部を下方から上方に、所定幅Ｗで、所定の高さｈだけ門形の形状に切り欠くとともに、同門形の切欠部（開口部）２５ｅから上記内ケース４６の底部側のワークコイルＣ１，Ｃ２方向に向けて延設された、全体として左右方向の幅Ｗが広く、上下方向の高さＨが低い筒体部２６ａを、次のように変形して構成されている。
【００７６】
すなわち、この分流ダクト２６のダクト部を形成している同全体として偏平な筒体部２６ａは、例えば図５に示すように、上記冷却ファン２３の羽根車２３ａの外径に対応した左右方向の幅Ｗを有するとともに、同羽根車２３ａの略半径寸法に対応した長さＲ部分の底壁部分が切除されて、下方に広く開口されている。
【００７７】
また、そのように下面側が下方に広く開口された上記分流ダクト２６の筒体部２６ａ入口の上記下方側冷却ファン２３の羽根車２３ａとの対向面（上壁面）部分を、図７のＡに示すように、水平方向への冷却風吹き出し口（図７のＣ部）の上壁面位置よりも上方側にΔｈ分高く位置させ、図９、図１０に示した従来の構成の場合（図７のＹライン位置）に比べて冷却ファン２３の羽根車２３ａから吹き出された冷却風の導入距離（導入空間の奥行き）、導入量（導入空間の容積）を大きく増大させている。
【００７８】
そして、それによって、冷却ファン２３の羽根車２３ａからの吹出気流の圧損および吹出騒音を低下させるとともに、同吹出気流の風速が低下することなく、高速状態で効率良く水平方向のワークコイルＣ１，Ｃ２側にも分流されるようにしている。
【００７９】
また、そのように冷却風の取入れ口部分では、上下方向の高さを高くし（図７中のｈ０→Ｈ）、それによって圧損を小さくし、また冷却風の導入量を増大させるようにしているが、他方冷却風の吹出口側は、次第に傾斜して上下方向の間隔が狭くなる上記内ケース４６の底壁部４の下方側部分に侵入、連接させなければならない。そこで、上記筒体部２６ａの冷却風吹出口側は、上記冷却ファン２３の羽根車２３ａに対向する冷却風取入口の下流部分から内ケース４６の底壁部４の傾斜面に沿って次第に上下方向の通路幅を小さくするように、上壁部側を図７のＢのように下降させ、下流端側冷却風吹出口部分では、図７のＣに示すように上下方向の通路幅が小さい扁平な通路形状となっている。
【００８０】
このような構成によると、冷却ファン２３の羽根車２３ａに対向する冷却風の取入口部分では、十分な冷却風吹出方向の奥行寸法を稼ぎながら、吹出口側では従来と同様の内ケース４６の底壁部４下方のワークコイルＣ１，Ｃ２位置に適切に冷却風を吹き出すことができるようになる。
【００８１】
また、同構成では、冷却風の入口側から吹出口側にかけて図７のＡ→Ｂ→Ｃと、次第に通路断面積を絞ることになり、それにより吹出風の風速をアップする増速効果を得ることができる。
【００８２】
また、筒体部２６ａの上壁部を、内ケース４６の底壁部４の傾斜面に沿って傾斜させていることから、設置も容易で、スペースファクターを悪化させなくて済む。
【００８３】
また、上記筒体部２６ａ内の上壁部内面には、例えば図２〜図７に示すように、冷却風の取入口から吹出出口側にかけて所定の間隔で平行に延びる複数本の整流壁２７，２７・・・が設けられている。
【００８４】
これにより、上記のようにして水平方向に分流された冷却風の流れを乱すことなく、層流状態で効率良くワークコイルＣ１，Ｃ２側に吹き出させることができる。その結果、さらに冷却効率が向上する。
【００８５】
さらに、この実施の形態の場合、上記筒体部２６ａの空気吹出口の下縁部は、上記ワークコイルカバー４０の底面部４０ａの外周縁部を上部に重ね合わせて係合する段部２８を有して連接されている。
【００８６】
このような構成にすると、吹き出される冷却風の下方への漏れが生じにくくなる。
【００８７】
これらの結果、以上の構成によると、冷却性能が高く、かつ静音性にすぐれた電気炊飯器を提供することが可能となる。
【図面の簡単な説明】
【００８８】
【図１】本願発明の最良の実施の形態に係る電気炊飯器の炊飯器本体の構成を示す前後方向中央部での切断断面図である。
【図２】同電気炊飯器本体の制御基板カバーの構成を示す正面図である。
【図３】同制御基板カバーの構成を示す背面図である。
【図４】同制御基板カバーの背面側斜視図である。
【図５】同制御基板カバーの底面図である。
【図６】同制御基板カバーの冷却風ダクトの底壁面を切除して示す底面図である。
【図７】同制御基板カバーの構成を示す図３のＡ−Ａ線断面図である。
【図８】同制御基板カバーの冷却ファン羽根車との対応関係と、それによる冷却空気の流れを示す図７と同様の断面図である。
【図９】従来の電気炊飯器の炊飯器本体の構成を示す図１と同様の中央縦断面図である。
【図１０】同電気炊飯器本体の制御基板カバーの構成を示す背面側斜視図である。
【符号の説明】
【００８９】
Ｃ１は第１のワークコイル、Ｃ２は第２のワークコイル、Ｈ１は保温ヒータ、Ｈ２は蓋ヒータ、Ｇ１は第１の誘導発熱体、Ｇ２は第２の誘導発熱体、１は炊飯器本体、１ａは外ケース、１ｂは底部材、２は蓋ユニット、３は内鍋、４は内ケース底壁部、１６は放熱板、１８はマイコン基板カバー、２３は電装品等の冷却ファン（プロペラファン）、２５は制御基板カバー、２５ａはカバー部本体、２５ｅは門形の切除部、２６は冷却風分流ダクト、２６ａは筒体部、２７は整流壁、４０はコイルカバーである。
【図１】
0005359041.tif 000002
【図２】
0005359041.tif 000003
【図３】
0005359041.tif 000004
【図４】
0005359041.tif 000005
【図５】
0005359041.tif 000006
【図６】
0005359041.tif 000007
【図７】
0005359041.tif 000008
【図８】
0005359041.tif 000009
【図９】
0005359041.tif 000010
【図１０】
0005359041.tif 000011